(57)【要約】  【課題】耐震性能を向上し、振動発生時に聴感上違和感の少ないオーディオ装置および再生方法を提供する。【解決手段】ディスクに記録されたオーディオ信号を再生するためのサーボ機能と読み出した信号をオーディオ信号に変換し出力する機能を持つオーディオ装置であって、音圧を検出する音圧検出部１２と振動を検出する振動検出手段７、１３を有し、音圧検出部１２または振動検出手段７、１３からの情報と閾値を比較し、閾値より大きい場合にサーボのゲインを上げて耐震性能を向上する。【選択図】  図１
2007157213.tif 000002
【特許請求の範囲】
【請求項１】
ディスクを回転する駆動手段と、前記ディスクより信号を読み出すピックアップ部と、前記ピックアップ部から読み出した前記信号より制御信号を検出し前記ピックアップ部をあるゲインで制御するサーボと、前記信号をオーディオ信号に変換し出力する信号処理部とを備えたオーディオ装置であって、
外部からの音圧を検出する音圧検出部と、前記音圧検出部からの音圧情報と第１の閾値を比較して前記音圧情報が前記第１の閾値より大きい場合に前記サーボの前記ゲインを上げる制御部とを有することを特徴とするオーディオ装置。
【請求項２】
ディスクを回転する駆動手段と、前記ディスクより信号を読み出すピックアップ部と、前記ピックアップ部から読み出した前記信号より制御信号を検出し前記ピックアップ部をあるゲインで制御するサーボと、前記信号をオーディオ信号に変換し出力する信号処理部とを備えたオーディオ装置であって、
外部の振動を検出する振動検出部と、前記振動検出部からの振動情報と第１の閾値を比較して前記振動情報が前記第１の閾値より大きい場合に前記サーボの前記ゲインを上げる制御部とを有することを特徴とするオーディオ装置。
【請求項３】
ディスクから読み出した信号から得たサーボ差分信号から振動を検知するサーボ振動検出装置と、オーディオ信号の周波数特性を調整する音質調整部と、前記オーディオ信号の音量を調整する音量調整部とを有し、
制御部は第１の閾値よりも振動もしくは音圧の大きい方に第２の閾値を有し、音圧情報もしくは振動情報または前記サーボ振動検出装置からの振動情報が第1の閾値よりも大きく第2の閾値より小さい場合はサーボのゲインのみを上げ、前記第2の閾値よりも大きい場合はサーボのゲインを上げると同時に前記音質調整部および前記音量調整部のいずれか一方、または、前記音質調整部および前記音量調整部を制御して、音質および音量のいずれか一方、または、音質および音量を調整する請求項１または請求項２記載のオーディオ装置。
【請求項４】
振動情報が第２の閾値を超えているが音圧検出部からの音圧情報がないまたは前記第２の閾値よりも小さい場合には、音質調整部および音量調整部のいずれか一方、または、前記音質調整部および前記音量調整部により音質および音量のいずれか一方、または、音質および音量の調整を行わない請求項３記載のオーディオ装置。
【請求項５】
オーディオ信号を蓄積するメモリ部を有し、メモリ再生モードの場合において、制御部は駆動手段によりディスクをオーディオ信号の出力の速度より早い速度で回転させて信号を読み出し、前記ディスクから読み出したデータを一旦前記メモリ部に蓄積し、出力時は前記メモリ部から読み出す動作を行うとともに、前記振動検出時のサーボのゲインの上昇、ならびに音質および音量の調整を行わない請求項１から請求項４のいずれか１項記載のオーディオ装置。
【請求項６】
メモリ再生モードの場合、メモリ部のデータ残量がある一定の値まで下がった時はサーボのうちのトラッキングサーボのゲイン制御を行うか、あるいは音質および音量のいずれか一方、または、音質および音量の調整を行うものとする請求項５記載のオーディオ装置。
【請求項７】
オーディオ信号を蓄積するメモリ部を有し、メモリ再生モードの場合において、音圧検出部、振動検出部およびサーボ振動検出装置の１つまたは複数からの音圧情報または振動情報を検知したとき、制御部は駆動手段によりディスクを早い速度で回転させ、オーディオ信号出力より速い速度でディスクのデータを読み出し、ディスクから読み出したデータを前記メモリ部に蓄積し、前記メモリ部の領域全てまたは大部分に書き込んだ後、前記メモリ部から読み出して出力し、且つ前記ディスクからの読み出し速度を１倍速に変更する請求項６記載のオーディオ装置。
【請求項８】
請求項１記載のオーディオ装置を用いたオーディオ再生方法であって、制御部に音圧検出部から音圧情報が入力されたか否かを判断するステップと、前記制御部が前記音圧検出部からの音圧情報と第１の閾値を比較するステップと、前記音圧情報が前記第１の閾値より大きい場合にサーボのゲインを上げるステップを含むオーディオ再生方法。
【請求項９】
請求項２記載のオーディオ装置を用いたオーディオ再生方法であって、制御部に振動検出部から振動情報が入力されたか否かを判断するステップと、前記制御部が前記振動検出部からの振動情報と第１の閾値を比較するステップと、前記振動情報が前記第１の閾値より大きい場合にサーボのゲインを上げるステップとを含むオーディオ再生方法。
【請求項１０】
請求項３記載のオーディオ装置を用いたオーディオ再生方法であって、音圧検出部および振動検出部のいずれか一方、または、サーボ振動検出装置からの情報が入力されたか否かを判断するステップと、前記音圧検出部および前記振動検出部のいずれか一方、または、前記音圧検出部および前記振動検出部、または前記サーボ振動検出装置からの情報と第１の閾値を比較するステップと、前記情報が第1の閾値よりも大きく第2の閾値より小さい場合はサーボのゲインを上げるステップと、前記情報が前記第2の閾値よりも大きい場合はサーボのゲインを上げると同時に音質調整部および音量調整部のいずれか一方、または、前記音質調整部および前記音量調整部を制御して、音質および音量のいずれか一方、または、音質および音量を調整するステップを含むオーディオ再生方法。
【請求項１１】
振動検出部からの振動検出情報が第２の閾値を超えているが音圧検出部からの音圧検出情報がないか、あるいは前記第２の閾値よりも小さい場合には、音質調整部または音量調整部により音質および音量のいずれか一方、または、音質および音量の調整を行わずサーボのゲインのみを上げるステップを有する請求項１０記載のオーディオ再生方法。
【請求項１２】
メモリ再生モードであるか否かを判断するステップと、前記メモリ再生モードである場合にサーボのゲイン制御を行わないとともに音質調整部または音量調整部により音質および音量のいずれか一方、または、音質および音量の調整を行わないステップを含む請求項８から請求項１１のいずれか１項記載のオーディオ再生方法。
【請求項１３】
前記メモリ再生モードである場合に制御部がメモリ部のデータ残量がある一定の値まで下がったか否かを判断するステップと、前記メモリ部のデータ残量がある一定の値まで下がった場合にサーボのゲイン制御、音質調整部または音量調整部による音質および音量のいずれか一方、または、音質および音量の調整を行うステップを含む請求項１２記載のオーディオ再生方法。
【請求項１４】
制御部が音圧検出部もしくは振動検出部またはサーボ振動検出装置からの情報を検知した場合、駆動手段によりディスクを早い速度で回転させ、ピックアップ部により出力より速い速度で前記ディスクのデータを読み出し、前記ディスクから読み出したデータをメモリ部に蓄積するステップと、前記メモリ部の領域の全てまたは前記メモリ部の大部分に書き込んだ後前記メモリ部から読み出して出力し、且つ前記ディスクからの読み出し速度を１倍速に変更するステップとを含む請求項１３記載のオーディオ再生方法。
【発明の詳細な説明】
【技術分野】
【０００１】
本発明は、ディスクに記録されたオーディオ信号を再生する機能を持つオーディオ装置およびオーディオ再生方法に関するものである。
【背景技術】
【０００２】
CDプレーヤなどディスクを再生する機能を持つオーディオ再生装置は様々な形態のものがあり、例えばコンポ型やラジカセ型は、設置自体は安定しているものの大音量再生時にはスピーカによる振動、ポータブル型は持ち運ぶため人の動作による振動、カーオーディオ型は車のエンジンや発進停止時の加速、路面の凸凹による振動を受ける可能性がある。
【０００３】
従来技術では、オーディオ再生装置内に設けたセンサによって振動や衝撃を感知し、それに対して制御部において音質・音量の調整を行うことによりスピーカによる振動を軽減させていた。
【特許文献１】特開２００３−１５１２０６号公報
【発明の開示】
【発明が解決しようとする課題】
【０００４】
しかしながら、上記従来のオーディオ再生装置においては振動発生時に音質・音量のみを制御するため、急激な音量の変化や周波数特性が変化してしまうなど、聴感上、違和感を覚える可能性があった。
【０００５】
本発明は、上記従来の問題点を解決するもので、例えばサーボ制御LSIのサーボ信号による振動検知と、センサによる振動検知を組み合わせることで、耐震性能を向上させ、音質・音量の過渡な調整により耳に感じる音の違和感をなくすことができるオーディオ装置およびオーディオ再生方法を提供することを目的とする。
【課題を解決するための手段】
【０００６】
本発明のオーディオ装置は、ディスクを回転する駆動手段と、ディスクより信号を読み出すピックアップ部と、ピックアップ部から読み出した信号より制御信号を検出しピックアップ部をあるゲインで制御するサーボと、信号をオーディオ信号に変換し出力する信号処理部とを備えたオーディオ装置であって、
外部からの音圧を検出する音圧検出部と、音圧検出部からの音圧情報と第１の閾値を比較して音圧情報が第１の閾値より大きい場合にサーボのゲインを上げる制御部とを有することを特徴とするものである。
【０００７】
本発明の別のオーディオ装置は、ディスクを回転する駆動手段と、ディスクより信号を読み出すピックアップ部と、ピックアップ部から読み出した信号より制御信号を検出しピックアップ部をあるゲインで制御するサーボと、信号をオーディオ信号に変換し出力する信号処理部とを備えたオーディオ装置であって、
外部の振動を検出する振動検出部と、振動検出部からの振動情報と第１の閾値を比較して振動情報が第１の閾値より大きい場合にサーボのゲインを上げる制御部とを有することを特徴とするものである。
【０００８】
上記構成において、ディスクから読み出した信号から得たサーボ差分信号から振動を検知するサーボ振動検出装置と、オーディオ信号の周波数特性を調整する音質調整部と、オーディオ信号の音量を調整する音量調整部とを有し、
制御部は第１の閾値よりも振動もしくは音圧の大きい方に第２の閾値を有し、音圧情報もしくは振動情報またはサーボ振動検出装置からの振動情報が第1の閾値よりも大きく第2の閾値より小さい場合はサーボのゲインのみを上げ、第2の閾値よりも大きい場合はサーボのゲインを上げると同時に音質調整部および音量調整部のいずれか一方、または、音質調整部および音量調整部を制御して、音質および音量のいずれか一方、または、音質および音量を調整する。
【０００９】
上記構成において、振動検出部等からの振動情報が第２の閾値を超えているが音圧検出部からの音圧情報がないまたは第２の閾値よりも小さい場合には、音質調整部および音量調整部のいずれか一方、または、音質調整部および音量調整部により音質および音量のいずれか一方、または、音質および音量の調整を行わない。
【００１０】
上記構成において、オーディオ信号を蓄積するメモリ部を有し、メモリ再生モードの場合において、制御部は駆動手段によりディスクをオーディオ信号の出力の速度より早い速度で回転させて信号を読み出し、ディスクから読み出したデータを一旦メモリ部に蓄積し、出力時はメモリ部から読み出す動作を行うとともに、振動検出時のサーボのゲインの上昇、ならびに音質および音量の調整を行わない。
【００１１】
上記構成において、メモリ再生モードの場合、メモリ部のデータ残量がある一定の値まで下がった時はサーボのうちのトラッキングサーボのゲイン制御を行うか、あるいは音質および音量のいずれか一方、または、音質および音量の調整を行うものとする。
【００１２】
上記構成において、オーディオ信号を蓄積するメモリ部を有し、メモリ再生モードの場合において、音圧検出部、振動検出部およびサーボ振動検出装置の１つまたは複数からの音圧情報または振動情報を検知したとき、制御部は駆動手段によりディスクを早い速度で回転させ、オーディオ信号出力より速い速度でディスクのデータを読み出し、ディスクから読み出したデータをメモリ部に蓄積し、メモリ部の領域全てまたは大部分に書き込んだ後、メモリ部から読み出して出力し、且つディスクからの読み出し速度を１倍速に変更する。
【００１３】
本発明のオーディオ再生方法は、上記構成のオーディオ装置を用いたオーディオ再生方法であって、制御部に音圧検出部から音圧情報が入力されたか否かを判断するステップと、制御部が音圧検出部からの音圧情報と第１の閾値を比較するステップと、音圧情報が第１の閾値より大きい場合にサーボのゲインを上げるステップを含むものである。
【００１４】
本発明の別のオーディオ再生方法は、上記構成のオーディオ装置を用いたオーディオ再生方法であって、制御部に振動検出部から振動情報が入力されたか否かを判断するステップと、制御部が振動検出部からの振動情報と第１の閾値を比較するステップと、振動情報が第１の閾値より大きい場合にサーボのゲインを上げるステップとを含む。
【００１５】
本発明の別のオーディオ再生方法は、上記構成のオーディオ装置を用いたオーディオ再生方法であって、音圧検出部および振動検出部のいずれか一方、または、サーボ振動検出装置からの情報が制御部に入力されたか否かを判断するステップと、音圧検出部および振動検出部のいずれか一方、または、音圧検出部および振動検出部、またはサーボ振動検出装置からの情報と第１の閾値を比較するステップと、情報が第1の閾値よりも大きく第2の閾値より小さい場合はサーボのゲインを上げるステップと、情報が第2の閾値よりも大きい場合はサーボのゲインを上げると同時に音質調整部および音量調整部のいずれか一方、または、音質調整部および音量調整部を制御して、音質および音量のいずれか一方、または、音質および音量を調整するステップを含むものである。
【００１６】
上記構成において、振動検出部からの振動検出情報が第２の閾値を超えているが音圧検出部からの音圧検出情報がないか、あるいは第２の閾値よりも小さい場合には、音質調整部または音量調整部により音質および音量のいずれか一方、または、音質および音量の調整を行わずサーボのゲインのみを上げるステップを有する。
【００１７】
上記構成において、メモリ再生モードであるか否かを判断するステップと、メモリ再生モードである場合にサーボのゲイン制御を行わないとともに音質調整部または音量調整部により音質および音量のいずれか一方、または、音質および音量の調整を行わないステップを含む。
【００１８】
上記構成において、メモリ再生モードである場合に制御部がメモリ部のデータ残量がある一定の値まで下がったか否かを判断するステップと、メモリ部のデータ残量がある一定の値まで下がった場合にサーボのゲイン制御、音質調整部または音量調整部による音質および音量のいずれか一方、または、音質および音量の調整を行うステップを含む。
【００１９】
上記構成において、制御部が音圧検出部もしくは振動検出部またはサーボ振動検出装置からの情報を検知した場合、駆動手段によりディスクを早い速度で回転させ、ピックアップ部により出力より速い速度でディスクのデータを読み出し、ディスクから読み出したデータをメモリ部に蓄積するステップと、メモリ部の領域の全てまたはメモリ部の大部分に書き込んだ後メモリ部から読み出して出力し、且つディスクからの読み出し速度を１倍速に変更するステップとを含む。
【発明の効果】
【００２０】
本発明により、音圧・振動を検出した場合サーボゲインを上げることで、耐震性能を向上させることができる。
【００２１】
さらに、サーボ信号からの振動検出機能を設けることで、二段階での振動対策が可能になる。
【００２２】
これにより、振動発生時の音質・音量の過度な調整はなくなり、聴感上の違和感が従来装置から大幅に軽減することが可能となる。
【発明を実施するための最良の形態】
【００２３】
本発明では、ディスクに記録されたオーディオ信号を再生する機能を持つオーディオ装置内に、サーボによる振動検出機能を備えている。
【００２４】
以下、本発明の実施の形態について図面を用いて説明する。図１は、本発明によるオーディオ装置の一例のブロック図である。
【００２５】
図１において、１はモータ部、２はピックアップ部、３はRFアンプ部、４はサーボ演算部、５は信号処理部、６はメモリ部、７はサーボ振動検出装置、８はドライバ部、９は音質調整部、１０は音圧調整部、１１は制御部、１２は音圧検出部、１３は振動検出部を示す。
【００２６】
モータ部１は、ドライバ部８からの信号によりディスクを回転させる駆動手段である。
【００２７】
ピックアップ部２は、ディスクにレーザを照射し、その反射光を電気信号に変換し、RFアンプ部３に入力する。また、ドライバ部８からの信号によりディスクに対して垂直方向と内外周方向へ動作するようにサーボ制御されている。
【００２８】
RFアンプ部３は、電気信号を加算して増幅したRF信号を作成するとともに、減算して増幅したエラー信号を作成し、サーボ演算部４および信号処理部５に入力する。
【００２９】
サーボ演算部４は、エラー信号にフィルタ演算を施しドライブ指示信号を作成しドライバ部８へ入力する。サーボはＲＦアンプ部３、サーボ演算部４、ドライバ部８により構成され、ピックアップ部２の位置を制御する。また後述の制御部１１によりサーボ演算部４に指示してサーボのゲインをあるゲインから上げ下げする制御をする。
【００３０】
信号処理部５は、RF信号をサンプリングし、オーディオ信号に変換する。
【００３１】
メモリ部６は、メモリ再生モード時にモータ部１によりディスクを速い速度で回転させ、ピックアップ部２により出力より速い速度で読み出したディスクのデータを蓄積するものである。出力時はメモリ部６からデータを読み出す。
【００３２】
サーボ振動検出装置７は、エラー信号例えばサーボ差分信号が一定閾値より大きい場合、振動とみなして、サーボ演算部４および制御部１１に入力し、サーボのゲインを上げる。
【００３３】
ドライバ部８は、ドライブ指示信号により、モータ部１とピックアップ部２へドライブ信号を供給する。
【００３４】
音質調整部９は、制御部１１の指示に従いオーディオ信号の周波数特性を調整する。音量調整部１０は、制御部１１の指示に従いオーディオ信号の音量を調整する。
【００３５】
制御部１１は、上記各機能部を制御する。
【００３６】
音圧検出部１２は音圧を検知し、例えば、本実施の形態のオーディオ装置に加わる音圧の大きさに比例したアナログ電圧値を音圧検出情報として制御部１１に入力する。
【００３７】
振動検出部１３は、振動を検知し、例えば、外部からの衝撃による振動の大きさに比例したアナログ電圧値を振動検出情報として制御部１１に入力する。
【００３８】
本実施の形態のオーディオ装置による再生音の音飛び防止方法の第１の実施例について説明する。図２は、第１の実施例のオーディオ装置の、サーボゲインの上昇とサーボ信号からの振動検出による音質・音量調整方法について説明するフローチャートである。
【００３９】
図２に示すステップ２１は、制御部１１が現在のサーボゲインとオーディオ信号の周波数特性と音量値を、制御部１１内の図示しない記憶部に記憶させる制御をするステップである。
【００４０】
ステップＳ２２は、メモリ再生モードであるか、すなわち制御部１１がメモリ再生中であるか否かを判断するステップである。メモリ再生中である場合はステップＳ２３に進み、メモリ再生中でない場合はステップＳ２４に進む。
【００４１】
ステップＳ２３は、制御部１１がメモリ部６内のデータ残量が少なくなっているか否かを判断するステップである。ある一定のデータ量を下回った場合はステップＳ２４に進み、それ以外の場合はステップＳ２２に戻る。
【００４２】
ステップＳ２４は、音圧検出部１２もしくは振動検出部１３の一方、または音圧検出部１２および振動検出部１３の両方からの音圧もしくは振動の検出情報が制御部１１に入力されたか否かを判断するステップである。制御部１１はサーボ振動検出装置７の検出情報が入力されたか否かも判断する。
【００４３】
制御部１１に上記検出情報が入力された場合はステップＳ２５に進む。制御部１１に検出情報が入力されない場合はステップＳ２２に戻る。
【００４４】
ステップＳ２５は、制御部１１に入力された検出情報と、記憶部に記憶されている第１の閾値を比較するステップである。検出情報が第１の閾値を超えた場合はステップＳ２６に進み、検出情報が第１の閾値を超えていない場合はステップＳ２２に戻る。
【００４５】
ステップＳ２６は、制御部１１がサーボ演算部４を介し、ドライバ部８によりサーボゲインを上げる制御をするステップである。例えばトラッキングサーボのゲインを制御する。
【００４６】
ステップＳ２７は、制御部１１に入力された検出情報と、記憶部に記憶されている第２の閾値を比較するステップである。この場合音圧情報が第２の閾値を超えていることが条件となっているが、この条件はなくてもよい。第２の閾値は第１の閾値よりも大きい。
【００４７】
検出情報が第２の閾値を超えた場合はステップＳ２９に進み、検出情報が第２の閾値を超えているがそのちの音圧検出部からの音圧検出情報がないまたは第２の閾値よりも小さい場合にはステップＳ２８に進む。
【００４８】
ステップＳ２８は、制御部１１がサーボゲイン、オーディオ信号の周波数特性およびオーディオ信号の音量を元に戻す制御をするステップである。本実施例では、ステップＳ２１で記憶した値を制御部１１が記憶部から読み出して、サーボ演算部４と音質調整部９と音量調整１０を制御する。
【００４９】
ステップＳ２９は、制御部１１が音質調整部９によりオーディオ信号の低音域成分を減衰する制御をするステップである。
【００５０】
ステップＳ３０は、制御部１１が音量調整部１０によりオーディオ信号の音量を減衰する制御をするステップである。
【００５１】
ステップＳ３１は、制御部１１に入力された検出情報と、記憶部に記憶されている第１の閾値を比較するステップである。検出情報が第１の閾値より小さくなった場合はステップＳ３２に進み、小さくなっていない場合はステップＳ２７に戻る。
【００５２】
ステップＳ３２は、制御部１１がサーボゲイン、オーディオ信号の周波数特性、オーディオ信号の音量を元に戻す制御をするステップである。本実施例では、ステップＳ２１で記憶した値を制御部１１が記憶部から読み出して、サーボ演算部４と音質調整部９と音量調整１０を制御する。
【００５３】
図３は、本実施の形態のオーディオ装置による再生音の音飛び防止方法の第２の実施例を示す。
【００５４】
ステップＳ４１は軸損再生かつメモリ再生モード中か否かを判断する。軸損再生とは、メモリ再生モードにおいて、ディスクから読み込んだオーディオデータをメモリ内にフルに書き込んだ状態から、データ残量がある一定の量を下回るまでの間はディスクの回転を止めてデータを読み込みせず、メモリ内のデータの再生のみを行う機能である。すなわち、モータ部１によりディスクを早い速度で回転させ、ピックアップ部２により出力より速い速度でディスクのデータを読み出し、ディスクから読み出したデータをメモリ部６に蓄積するステップが行われているかどうかを判断する。  
【００５５】
ステップＳ４２は、軸損再生かつメモリ再生モード中において、制御部１１が音圧検出部１２もしくは振動検出部１３またはサーボ振動検出装置７からの情報を検知したか否か、すなわち、センサからの検出信号が制御部に入力されたか、またはサーボ信号による振動検出がされたか、を判断する。
【００５６】
ステップＳ４３はステップＳ４２において検出信号の入力があるか振動検出がされた場合にオーディオ装置を１倍速再生かつメモリ再生モードに設定するものである。すなわち、メモリ部６の領域の全てまたはメモリ部６の大部分に書き込んだ後メモリ部６から読み出して出力し、且つディスクからの読み出し速度を１倍速に変更するステップを行う。これにより、耐震再生モードに強制的に遷移することができる。
【産業上の利用可能性】
【００５７】
本発明に係るオーディオ装置およびオーディオ再生方法は、サーボによる耐震機能と振動検出装置を有し、スピーカによる音圧や外部の振動を受けるディスクプレーヤ等として有用である。
【図面の簡単な説明】
【００５８】
【図１】本発明の一実施の形態のオーディオ装置を示すブロック図である。
【図２】第１の実施例の音圧・振動の検知によるサーボ特性の向上と、サーボ信号からの振動検知による音質・音量調整方法について説明するフローチャートである。
【図３】第２の実施例のフローチャートである。
【符号の説明】
【００５９】
１  モータ部
２  ピックアップ部
３  RFアンプ部
４  サーボ演算部
５  信号処理部
６  メモリ部
７  サーボ振動検出装置
８  ドライバ部
９  音質調整部
１０  音量調整部
１１  制御部
１２  音圧検出部
１３  振動検出部
【図１】
2007157213.tif 000003
【図２】
2007157213.tif 000004
【図３】
2007157213.tif 000005